(57)【特許請求の範囲】
【請求項１】
冠婚葬祭に用いられ、冠婚葬祭用の建物内において参列者の控室又はロビーに設置され、前記参列者に対し映像を表示するための映像表示装置であって、
新郎新婦又は故人の思い出の写真を組み合わせたものを含む映像を表面に写し出すための表示領域を有する表示部材と、
前記表示領域に向かって前記映像を投影する投影機と、
所定の音楽又は効果音を流すスピーカーと、
前記表示部材、前記投影機及び前記スピーカーを内部空間に収容した本体と、を備え、
前記表示部材は、本を見開いた状態を模した形状を有し、湾曲して形成される立体物であって、見開きページ面が前記表示領域を構成し、前記本体が有する床板上において前記表示領域が外部から視認し易くなるように外部に向けて傾斜させた状態で設置され、
前記投影機は、前記本体内において外部から視認できない位置に設けられ、前記表示部材よりも上方位置に配置され、傾斜させた状態の前記表示部材の前記表示領域に対応する向きで傾斜させた状態で設置され、
前記スピーカーは、前記本体内において外部から視認できない位置に設けられ、前記投影機から前記表示領域に向かって投影される映像が通過する領域とは異なる位置に配置されており、
前記投影機は、前記映像を一の動画像から他の動画像に切り替えるときに、直前に投影された前記一の動画像と所定の関係を有する動画像であって次に表示される前記他の動画像を予告する内容を示すつなぎ映像を投影し、
前記投影機は、前記音楽又は前記効果音と連動して前記つなぎ映像を投影することを特徴とする冠婚葬祭用映像表示装置。
【請求項２】
前記本体は、前記表示部材が設置された空間と、前記投影機及び前記スピーカーが設置された空間とを区切るための天井板を有し、
前記天井板のうち、前記投影機から前記表示領域に向かって投影される映像が通過する領域となる部分には、前記映像の通り道となる開口部が形成され、
前記スピーカーと、前記開口部と、前記表示部材とが、上下方向で重なる位置に配置されていることを特徴とする請求項１に記載の冠婚葬祭用映像表示装置。
【請求項３】
前記つなぎ映像は、前記一の動画像の一端から前記一の動画像をめくり上げそのめくり上げた後の前記表示領域に前記他の動画像を表示する演出を行うことを特徴とする請求項１又は２に記載の冠婚葬祭用映像表示装置。
【請求項４】
前記つなぎ映像は、前記表示領域上に投影されたキャラクターが前記一の動画像の一端から前記一の動画像をめくり上げるような動作を行い、前記一の動画像をめくり終わると前記キャラクターが一旦隠れるように前記演出を行うことを特徴とする請求項３に記載の冠婚葬祭用映像表示装置。
【請求項５】
冠婚葬祭に用いられる部屋を有し、前記部屋内において参列者に対し映像を表示するための建物であって、
新郎新婦又は故人の思い出の写真を組み合わせたものを含む映像を表面に写し出すための表示領域を有する表示部材と、
前記表示領域に向かって前記映像を投影する投影機と、
所定の音楽又は効果音を流すスピーカーと、
前記表示部材、前記投影機及び前記スピーカーを内部空間に収容したケースと、を備え、
前記表示部材は、本を見開いた状態を模した形状を有し、湾曲して形成される立体物であって、見開きページ面が前記表示領域を構成し、前記ケースが有する床板上において前記表示領域が外部から視認し易くなるように外部に向けて傾斜させた状態で設置され、
前記投影機は、前記ケース内において外部から視認できない位置に設けられ、前記表示部材よりも上方位置に配置され、傾斜させた状態の前記表示部材の前記表示領域に対応する向きで傾斜させた状態で設置され、
前記スピーカーは、前記ケース内において外部から視認できない位置に設けられ、前記投影機から前記表示領域に向かって投影される映像が通過する領域とは異なる位置に配置されており、
前記投影機は、前記映像を一の動画像から他の動画像に切り替えるときに、直前に投影された前記一の動画像と所定の関係を有する動画像であって次に表示される前記他の動画像を予告する内容を示すつなぎ映像を投影し、
前記投影機は、前記音楽又は前記効果音と連動して前記つなぎ映像を投影することを特徴とする冠婚葬祭用建物。
【発明の詳細な説明】
【技術分野】
【０００１】
本発明は、冠婚葬祭用映像表示装置及び冠婚葬祭用建物に係り、特に、冠婚葬祭用のセレモニーの際に利用可能な冠婚葬祭用映像表示装置及び冠婚葬祭用建物に関する。
【背景技術】
【０００２】
冠婚葬祭は、人生にとって重要な節目を迎えるための儀式となるため、人々にとって印象深く、思い出深いものとなることが望まれている。
従来から、例えば結婚披露宴においては、結婚式場に常設されたスクリーンと投影機とを利用して、新郎新婦のプロフィール映像や、余興映像、そしてエンドロールを写すことにより、結婚披露宴の演出を盛り上げる趣向が凝らされている（例えば、特許文献１参照）。
【０００３】
特許文献１に記載された冠婚葬祭用式場では、式場建屋本体と、スクリーンと、投影機と、ステージと、を備えている。そして、スクリーンは、式場の正面部に配置された正面側スクリーンと、正面側スクリーンの左右に並設された側面側スクリーンと、天井に設けられた上部スクリーン部と、から構成されている。上記構成により、式場内の複数のスクリーンに向かって動画画像を投影することができ、式場内の広範囲にわたって臨場感ある動画画像を繰り広げることができる。
【先行技術文献】
【特許文献】
【０００４】
【特許文献１】特開２００８−３６０９７号公報
【発明の概要】
【発明が解決しようとする課題】
【０００５】
しかしながら、このような冠婚葬祭において、スクリーンと投影機とを利用した演出は既に広く知られているものである。そのため、特許文献１のように、式場の広範囲に動画画像を投影したとしても、式場全体が大きな背景に包まれることにより臨場感は増すものの、新郎新婦及び参列者にとっては、予想や期待を上回るような斬新で感動的な演出とは言い難い。
また、冠婚葬祭においては空き時間も多く、式や披露宴の前後には、参列者が控室やロビー等で時間を持て余すということも多々ある。そのような時間に、新郎新婦の情報等に関する映像を流すこともよく行われているが、もはや陳腐化しており、参列者にとっては、単なる暇潰し以上のものとはなり得なかった。
【０００６】
本発明は、上記の課題に鑑みてなされたものであり、本発明の目的は、冠婚葬祭用のセレモニーにおいて、より一層趣向を凝らした斬新で感動的な演出が可能な冠婚葬祭用映像表示装置及び冠婚葬祭用建物を提供することにある。
【課題を解決するための手段】
【０００７】
前記課題は、本発明の冠婚葬祭用映像表示装置によれば、冠婚葬祭に用いられ、冠婚葬祭用の建物内において参列者の控室又はロビーに設置され、前記参列者に対し映像を表示するための映像表示装置であって、新郎新婦又は故人の思い出の写真を組み合わせたものを含む映像を表面に写し出すための表示領域を有する表示部材と、前記表示領域に向かって前記映像を投影する投影機と、所定の音楽又は効果音を流すスピーカーと、前記表示部材、前記投影機及び前記スピーカーを内部空間に収容した本体と、を備え、前記表示部材は、本を見開いた状態を模した形状を有し、湾曲して形成される立体物であって、見開きページ面が前記表示領域を構成し、前記本体が有する床板上において前記表示領域が外部から視認し易くなるように外部に向けて傾斜させた状態で設置され、前記投影機は、前記本体内において外部から視認できない位置に設けられ、前記表示部材よりも上方位置に配置され、傾斜させた状態の前記表示部材の前記表示領域に対応する向きで傾斜させた状態で設置され、前記スピーカーは、前記本体内において外部から視認できない位置に設けられ、前記投影機から前記表示領域に向かって投影される映像が通過する領域とは異なる位置に配置されており、前記投影機は、前記映像を一の動画像から他の動画像に切り替えるときに、直前に投影された前記一の動画像と所定の関係を有する動画像であって次に表示される前記他の動画像を予告する内容を示すつなぎ映像を投影し、前記投影機は、前記音楽又は前記効果音と連動して前記つなぎ映像を投影すること、により解決される。
また、本発明の冠婚葬祭用建物によれば、冠婚葬祭に用いられる部屋を有し、前記部屋内において参列者に対し映像を表示するための建物であって、新郎新婦又は故人の思い出の写真を組み合わせたものを含む映像を表面に写し出すための表示領域を有する表示部材と、前記表示領域に向かって前記映像を投影する投影機と、所定の音楽又は効果音を流すスピーカーと、前記表示部材、前記投影機及び前記スピーカーを内部空間に収容したケースと、を備え、前記表示部材は、本を見開いた状態を模した形状を有し、湾曲して形成される立体物であって、見開きページ面が前記表示領域を構成し、前記ケースが有する床板上において前記表示領域が外部から視認し易くなるように外部に向けて傾斜させた状態で設置され、前記投影機は、前記ケース内において外部から視認できない位置に設けられ、前記表示部材よりも上方位置に配置され、傾斜させた状態の前記表示部材の前記表示領域に対応する向きで傾斜させた状態で設置され、前記スピーカーは、前記ケース内において外部から視認できない位置に設けられ、前記投影機から前記表示領域に向かって投影される映像が通過する領域とは異なる位置に配置されており、前記投影機は、前記映像を一の動画像から他の動画像に切り替えるときに、直前に投影された前記一の動画像と所定の関係を有する動画像であって次に表示される前記他の動画像を予告する内容を示すつなぎ映像を投影し、前記投影機は、前記音楽又は前記効果音と連動して前記つなぎ映像を投影すること、により解決される。
【０００８】
上記のように、見開き本の形状を模した表示部材の表示領域上に映像を投影し、その際、映像を一の動画像から他の動画像に切り替えるときに、直前に投影された一の動画像と所定の関係を有する動画像であって次に表示される他の動画像を予告する内容を示すつなぎ映像を投影することによって、見る者を楽しませるエンターテインメント性に富んだ演出が可能となる。
そのため、冠婚葬祭用、例えば結婚式用のセレモニーにおいて、プロジェクションマッピングを利用したより一層趣向を凝らした斬新で感動的な映像演出が可能となる。特に、参列者の控室やロビーに設置することにより、参列者が時間を持て余すこともなく、空き時間でさえも充実して過ごすことができる。
また上記のように、映像と音楽や効果音とが連動すること、例えば、つなぎ映像を投影するタイミングでページがめくれるような効果音を流すことにより、より一層本がめくられているような演出が可能となる。
そのため、冠婚葬祭用、例えば結婚式用のセレモニーにおいて、プロジェクションマッピングを利用したより一層趣向を凝らした斬新で感動的な映像演出が可能となる。
また上記のように、投影する映像を新郎新婦や故人の思い出の写真を組み合わせたものを含むことにより、あたかも新郎新婦や故人のアルバムをめくって見ているかのような演出が可能となる。
そのため、冠婚葬祭用、例えば結婚式用のセレモニーにおいて、プロジェクションマッピングを利用したより一層趣向を凝らした斬新で感動的な映像演出が可能となる。
【０００９】
ここで、プロジェクションマッピングとは、平面状のスクリーン表面の代わりとして立体物の表面に映像を張り合わせるように映写する技法である。映像を写すスクリーンとなる立体物は、建築物だけでなく、靴、テーブルや椅子、額縁、描かれた絵、人体、部屋、鞄、楽器、樹木等ありとあらゆる物を対象とすることができる。
特に、平面状のスクリーン表面だけでは演出することができない、空間そのものをデザイン、演出してしまうプロジェクションマッピングでは、その仮想と現実が入り交じったような迫力のある映像を演出することができ、参列者が思わず見入ってしまう程のものである。
また、つなぎ映像とは、一の動画像から他の動画像に切り替わる際に差し込まれる動画像である。具体的には、一の動画像又は他の動画像と何らかの関連性や連続性を有するものであって、一の動画像の次に表示される他の動画像をイメージさせるような予告内容を含む動画像である。
【００１０】
このとき、前記本体は、前記表示部材が設置された空間と、前記投影機及び前記スピーカーが設置された空間とを区切るための天井板を有し、前記天井板のうち、前記投影機から前記表示領域に向かって投影される映像が通過する領域となる部分には、前記映像の通り道となる開口部が形成され、前記スピーカーと、前記開口部と、前記表示部材とが、上下方向で重なる位置に配置されている、と良い。
また、前記つなぎ映像は、前記一の動画像の一端から前記一の動画像をめくり上げそのめくり上げた後の前記表示領域に前記他の動画像を表示する演出を行う、と良い。
【００１１】
上記のように、見開き本の形状を模した表示部材の表示領域上に映像を投影し、その際、映像を一の動画像から他の動画像に切り替えるときに、一の動画像の一端からその一の動画像をめくり上げそのめくり上げた後の表示領域に他の動画像を表示する演出を行うつなぎ映像を投影することにより、表示部材の形状と相俟って、表示部材の表示領域上であたかも本がめくられているような演出が可能となる。
そのため、冠婚葬祭用、例えば結婚式用のセレモニーにおいて、プロジェクションマッピングを利用したより一層趣向を凝らした斬新で感動的な映像演出が可能となる。
【００１２】
このとき、前記つなぎ映像は、前記表示領域上に投影されたキャラクターが前記一の動画像の一端から前記一の動画像をめくり上げるような動作を行い、前記一の動画像をめくり終わると前記キャラクターが一旦隠れるように前記演出を行う、と良い。
【発明の効果】
【００１６】
本発明の冠婚葬祭用映像表示装置及び冠婚葬祭用建物によれば、冠婚葬祭用のセレモニーにおいて、例えばプロジェクションマッピングを利用してより一層趣向を凝らした斬新で感動的な演出が可能となる。
【図面の簡単な説明】
【００１７】
【図１】本実施形態に係る冠婚葬祭用映像表示装置の正面図である。
【図２】同冠婚葬祭用映像表示装置の概要説明図である。
【図３】同冠婚葬祭用映像表示装置の表示部材にプロジェクションマッピングの映像演出が実行された状態の一例を示す説明図である。
【図４】同冠婚葬祭用映像表示装置の表示部材に上記映像演出が実行された状態の一例を示す説明図である。
【図５】同冠婚葬祭用映像表示装置の表示部材に上記映像演出が実行された状態の一例を示す説明図である。
【図６】同冠婚葬祭用映像表示装置の表示部材に上記映像演出が実行された状態の一例を示す説明図である。
【発明を実施するための形態】
【００１８】
以下、本発明の実施形態について図を参照して説明する。
本実施形態は、表面に映像を写し出すための表示領域を有する見開き本の形状を模した表示部材と、その表示部材の表示領域に向かって映像を投影する投影機と、を備え、表示部材に映像を投影する際、映像を一の動画像から他の動画像に切り替えるときに、直前に投影された一の動画像と所定の関係を有する動画像であって次に表示される他の動画像を予告する内容を示す映像、すなわち、一の動画像の一端からその一の動画像をめくり上げそのめくり上げた後の表示領域に他の動画像を表示する演出を行うつなぎ映像を投影することにより、表示部材の表示領域上であたかも本がめくられているような演出を行うことを特徴とする冠婚葬祭用映像表示装置、及び、その冠婚葬祭用映像表示装置を備えた冠婚葬祭用建物の発明に関するものである。
なお、プロジェクションマッピングとは、建物や物体、あるいは空間などの立体物の表面に映像を張り合わせるように映し出す表現手法であって、３Ｄマッピング、ビデオマッピング、アーキテクチャルマッピングなどとも呼ばれるものである。
【００１９】
図１は、冠婚葬祭用映像表示装置１０の正面図である。図２は、冠婚葬祭用映像表示装置１０を側面から見た概要説明図である。
【００２０】
本実施形態の冠婚葬祭用映像表示装置１０は、特に結婚式等に利用されるホテルやウェディングハウス等の建物の中、例えば、控室やロビー等に設置されるものである。
なお、冠婚葬祭用映像表示装置１０が設置されたホテルやウェディングハウス等の建物が、特許請求の範囲でいう冠婚葬祭用建物に該当する。
【００２１】
図１及び図２に示すように、冠婚葬祭用映像表示装置１０は、見開き本の形状を模した表示部材１１と、その表示部材１１に向かって映像を投影する投影機１２と、所定の音楽又は効果音を流すスピーカー１３と、それらの表示部材１１、投影機１２、スピーカー１３を内部空間に収容した本体１４と、本体１４内部の表示部材１１を本体１４外部から視認可能に囲った透明なガラス板１５と、を主に備えている。
【００２２】
表示部材１１は、見開き本の形状を模した立体物であって、上面となる部分、すなわち見開きページ部分は、映像を写し出すためのスクリーンとして機能する表示領域１１ａを構成している。表示領域１１ａは、映像を投影できるものであればよく、細かい形状、大きさ、材質は限定されないが、本実施形態では、見開き本の質感を出すために、やや湾曲して形成されている。
表示部材１１は、後述する本体１４が有する床板１６の上に設置されている。このとき、表示領域１１ａが冠婚葬祭用映像表示装置１０の前方向から視認し易いように、表示部材１１は、前方にやや傾斜を付けて設置されている。
上記構成の表示部材１１の表示領域１１ａに、後述する投影機１２によって映像を投影することにより、あたかも見開き状態の本を見ているかのような雰囲気を醸し出すことができる。
【００２３】
投影機１２は、表示部材１１の表示領域１１ａに向かって、後述する図３〜図６のように、表示領域１１ａに対応した映像を投影するプロジェクターである。投影される映像は、動画であっても良いし、静止画であっても良い。
投影機１２は、本体１４の上方の空間に、外部から視認できない位置に設置されている。本体１４内部は、表示部材１１が設置された空間と、投影機１２が設置された空間とは天井板１７により仕切られているが、投影機１２より投影された映像が当たる箇所には、映像が通過可能なように開口部１８が天井板１７に形成されている。なお、この開口部１８には透明なガラス板等を設置してもよい。
ここで、「表示領域１１ａに対応した映像を投影する」とは、立体物の表面領域に映像という素材（オブジェクト）を貼り合わせるように投影する、すなわち、プロジェクションマッピングを演出する意味合いを含むものである。
なお、投影機１２の種類としては、プロジェクションマッピングを演出可能な投影機であれば、特に限定されることなく採用することが可能である。投影機１２の光源はＬＥＤ光源等の他、どのようなものであっても良い。また、本実施形態においては、投影機１２は一台であるが、複数台設置することもできる。
【００２４】
スピーカー１３は、表示領域１１ａに投影された映像に対応して、所定の音楽又は効果音を流す音響機器である。
本実施形態では、スピーカー１３も、投影機１２と同様、本体１４の上方の空間に、外部から視認できない位置に設置されているが、これに限定されるものではない。例えば、本体１４の正面や側面等に設置することもできる。また、複数台設置することもできる。
【００２５】
本体１４は、内部空間に表示部材１１等の物品を展示することができる一般的なショーケースであって、少なくとも、表示部材１１を載せるための床板１６と、表示部材１１が設置された空間と投影機１２が設置された空間とを区切る天井板１７とを有している。天井板１７には、投影機１２から投影された映像の通り道となる開口部１８が形成されている。本体１４の外表面には、重厚感が出るような不図示の装飾が施されている。
また、本実施形態においては、参列者等が表示部材１１に手を触れないように、表示部材１１の周囲を透明なガラス板１５で囲っている。このため、参列者は、このガラス板１５越しに本体１４内部に収容された表示部材１１を視認することができる。ただし、このガラス板１５は設けなくても構わない。
【００２６】
次に、表示領域１１ａにプロジェクションマッピングを利用した映像を投影したときの演出内容を図３〜図６に基づいて説明する。
図３〜図６は、表示部材１１の表示領域１１ａに投影機１２によってプロジェクションマッピングの映像演出が実行された状態の一例を示す説明図であり、映像は、図３から図４、図５、図６の順に推移する。
【００２７】
図３には、投影機１２によって、見開き本を模した表示部材１１の表示領域１１ａに新郎新婦の思い出の写真が投影されている。具体的には、見開きの左側のページには、新郎の赤ちゃんの頃の寝顔を写した写真が映し出されている（以下、第１ページ２１という。）。また、見開きの右側のページには、新郎の子供の頃の写真が映し出されている（以下、第２ページ２２という。）。
なお、ここで投影される写真のデータは、事前に新郎新婦やその関係者から提供されたデータを不図示の記憶手段に記憶して利用する。
【００２８】
図４に示すように、図３に示す映像を投影後、所定時間経過すると、表示領域１１ａ上にキャラクター２５が投影されて登場する。表示領域１１ａ上に投影されたキャラクター２５は、しばらく左右のページ上を自由に動き回った後（不図示）、第２ページ２２の右端を持って、その第２ページ２２をめくり上げるような動作を開始する。
第２ページ２２がめくり上げられた後の表示領域１１ａには、あたかもキャラクター２５が本のページをめくっているように、次のページとなる他の写真が投影される。具体的には、第２ページ２２の裏面となる位置の表示領域１１ａには第３ページ２３の一部が投影され、第２ページ２２をめくった後の領域には第４ページ２４の一部が投影される。
【００２９】
図５に示すように、キャラクター２５が第２ページ２２をめくる動作を開始すると、時間の経過と共に第１ページ２１及び第２ページ２２の占める領域が徐々に狭くなっていき、それに比例して、今度は第３ページ２３及び第４ページ２４の占める領域が徐々に広くなっていく。このとき、あたかも本のページがめくられていくように表示領域１１ａに投影される映像が変化していき、最終的には、第２ページ２２をめくる動作をしていたキャラクター２５が、第１ページ２１及び第２ページ２２を閉じる動作を行う。
なお、この図４〜図５に示すような映像が、特許請求の範囲でいうつなぎ映像に該当する。
【００３０】
図６に示すように、ページを完全にめくり終わると、キャラクター２５は一旦隠れ、見開きの左側のページには、第３ページ２３である新郎が母親に抱かれている写真が映し出される。また、見開きの右側のページには、第４ページ２４である新郎が幼少時に過ごした思い出の部屋の写真が映し出される。
以降、時間経過と共に、次々にページがめくられて異なる写真が映し出された新しいページに切り替わる。
【００３１】
また、冠婚葬祭用映像表示装置１０に備え付けられたスピーカー１３からは、プロジェクションマッピングの映像演出は、ＢＧＭとして雰囲気に合った音楽が流れている。また、図４〜５に示すような映像演出、すなわち、ページがめくられる映像の際には、これに連動してページがめくれるような効果音が流れる。
【００３２】
これにより、この冠婚葬祭用映像表示装置１０に接した参列者は、冠婚葬祭用映像表示装置１０に展示された表示部材１１（表示領域１１ａ）に投影された写真を見ると、見開き本を模した表示部材１１の形状も相俟って、あたかも新郎新婦の思い出のアルバムを開いて見ているような感覚となる。
また、図４〜図５に示すようなつなぎ映像をはさむ演出によって、参列者にとっては、ページをめくって新郎新婦の思い出のアルバムを見ているような様子を忠実に再現することが可能となる。
【００３３】
本実施形態では、上記映像演出によって、結婚式においてより一層趣向を凝らしたプロジェクションマッピングによる斬新で感動的な演出が可能となる。特に、冠婚葬祭用映像表示装置１０は、結婚式場内の控室やロビー等に設置されているので、式や披露宴の前後の空き時間でさえも、参列者が時間を持て余すこともなく充実して過ごすことができる。
【００３４】
本実施形態では、主として本発明に係る冠婚葬祭用映像表示装置及び冠婚葬祭用建物に関して説明した。
ただし、上記の実施形態は、本発明の理解を容易にするための一例に過ぎず、本発明を限定するものではない。例えば、上記実施形態では、結婚式での利用について説明したが、新郎新婦の思い出の写真に代えて故人の思い出の写真を用いてプロジェクションマッピングの映像演出を実行すれば、葬式等においても同様に適用することができる。
また、本発明は、その趣旨を逸脱することなく、変更、改良され得ると共に、本発明にはその等価物が含まれることは勿論である。
【符号の説明】
【００３５】
１０    冠婚葬祭用映像表示装置
１１    表示部材
１１ａ  表示領域
１２    投影機
１３    スピーカー
１４    本体
１５    ガラス板
１６    床板
１７    天井板
１８    開口部
２１    第１ページ
２２    第２ページ
２３    第３ページ
２４    第４ページ
２５    キャラクター
【図１】
0006989366.tif 000002
【図２】
0006989366.tif 000003
【図３】
0006989366.tif 000004
【図４】
0006989366.tif 000005
【図５】
0006989366.tif 000006
【図６】
0006989366.tif 000007